(57)【要約】      （修正有）【課題】のり面、裸地、護岸施設面等に手間少なく安価にその地域に自生する多様な植物を繁殖させて該のり面、裸地等を自然状態へ復元することができる植生具及びそれを利用した植生工法を提供する。【解決手段】長尺軸材１と、軸材１に沿って配列されるとともに軸材１に保持された植物繁殖源捕捉用の繊維群２０とを含み、繊維群２０はそれを構成する繊維２が軸材周囲へ放射状に突出するように軸材１に保持されている植物繁殖源捕捉植生具Ａ。植生具Ａを植生工実施対象面（のり面、護岸施設面等）に設置する植生工法。【選択図】  図１
2006000083.tif 000002
【特許請求の範囲】
【請求項１】
長尺軸材と、該軸材に沿って配列されるとともに該軸材に保持された植物繁殖源捕捉用の繊維群とを含み、該繊維群は該繊維群を構成する繊維が該軸材周囲へ放射状に突出するように該軸材に保持されていることを特徴とする植物繁殖源捕捉植生具。
【請求項２】
前記植物繁殖源捕捉用の繊維群の繊維は前記軸材周囲へ放射状に突出する剛性を有しつつ可撓性も有する繊維である請求項１記載の植物繁殖源捕捉植生具。
【請求項３】
前記植物繁殖源捕捉用の繊維群は材質の異なる２種以上の繊維を含んでいる請求項１又は２記載の植物繁殖源捕捉植生具。
【請求項４】
前記植物繁殖源捕捉用の繊維群は植物生育材を保持している請求項１、２又は３記載の植物繁殖源捕捉植生具。
【請求項５】
断面形状において異なる少なくとも２種類の部分を含んでいる請求項１から４のいずれかに記載の植物繁殖源捕捉植生具。
【請求項６】
請求項１から５のいずれかに記載の植物繁殖源捕捉植生具を植生工実施対象面に設置することを特徴とする植生工法。
【請求項７】
前記植生工実施対象面はのり面及び（又は）裸地である請求項６記載の植生工法。
【請求項８】
前記植生工実施対象面はのり面であり、前記植物繁殖源捕捉植生具はその長尺軸材が水平状に延在するように該のり面に設置する請求項６記載の植生工法。
【請求項９】
前記植生工実施対象面は護岸施設面である請求項６記載の植生工法。
【請求項１０】
前記植物繁殖源捕捉植生具をその長尺軸材が水流方向を横切る方向に延在するように前記護岸施設面に設置する請求項９記載の植生工法。
【請求項１１】
前記植生工実施対象面には植物繁殖源捕捉植生具の設置に加え、種子吹付工及び（又は）厚層基材吹付工を施す請求項６から１０のいずれかに記載の植生工法。
【請求項１２】
前記植物繁殖源捕捉植生具の植生工実施対象面への設置は、該植生工実施対象面に植生シート、植生マット及び網のうち少なくとも一つを設置し、その上から植物繁殖源捕捉植生具を設置することで行う請求項６から１０のいずれかに記載の植生工法。
【発明の詳細な説明】
【技術分野】
【０００１】
本発明は植物種子などの植物繁殖源を捕捉して植物を繁殖させるための植物繁殖源捕捉植生具及び該植生具を用いた植生工法に関する。
【背景技術】
【０００２】
従来、建設工事等に伴って発生するのり面や裸地の緑化には、成長の早い外来草本類を中心とした植物の種子を散布し成育を促し、これにより緑化を促進してのり面等の浸食を抑制することが主流となっていた。
【０００３】
しかし成長の早い外来草本類を中心とした植物は肥料、養分を多く消費するため、肥料、養分が不足しがちとなって衰退が早く、また、根系構造が単純、均一状であるため、のり面等の浸食抑制作用にも限界があった。
【０００４】
このような問題を解決する手法として、のり面や裸地のある地域に自生する多様な野性植物を該のり面、裸地等に導入して自然状態を復元することが考えられ、今日における建設工事等に対する社会的思潮においても、自然破壊されたのり面、裸地等は自然状態への復元が求められており、また、それらのり面、裸地等の浸食抑制効果の向上のために、該のり面、裸地等を含む地域の自然環境に適応し、該地域に自生する多様な植物種によって複雑で強固な根系構造を持つ植物群落の形成が求められている。
【０００５】
河川や各種水路においても、改修後には、多様な動植物が生育できる自然な環境を再生することが求められている。
【０００６】
【非特許文献１】日本緑化工学会偏「緑化技術用語辞典」第２版  平成４年５月２０日付株式会社山海堂発行
【発明の開示】
【発明が解決しようとする課題】
【０００７】
しかしながら、のり面や裸地等へ、その地域に自生する多様な野性植物を導入することは容易なことではない。多様な野性植物導入には、それぞれの野生埴物の繁殖特性、生育サイクル等に関する深い知識が必要であり、実際の導入にあたっては、それらの知識に基づき、それぞれの野性植物の開花、結実を観察し、種子を採取し、該種子を適切なタイミングで散布する等の手間を要する作業が必要となるうえ、それぞれの野性植物の開花、結実、その後の種子採取、種子散布、各植物の繁殖能力の限界等を考慮すれば、長期にわたる作業、管理が必要となり、短くみてもそれは略１年間を通して行う長期なものとなり、膨大な費用を要する。
【０００８】
一般に、いずれの作業、工事もそのための期間は予算等の都合により限られているものであり、のり面、裸地等への多様な野性植物の種子散布等による導入作業を行うとしても、そのための期間は予算等の都合により限られたものとなり、その限られた期間内で多様な野性植物を繁殖させるための作業を完了することは極めて困難である。
【０００９】
そこで本発明は、のり面、裸地、護岸施設面等に手間少なく安価にその地域に自生する多様な植物を繁殖させて該のり面、裸地等を自然状態へ復元することができる植生具を提供することを課題とする。
【００１０】
また、本発明は、のり面、裸地、護岸施設面等に手間少なく安価にその地域に自生する多様な植物を繁殖させて該のり面、裸地等を自然状態へ復元することができる植生工法を提供することを課題とする。
【課題を解決するための手段】
【００１１】
本発明者はかかる課題を解決すべく研究を重ね次の知見、着想を得た。
多様な自生植物の群落では、それぞれの植物はその繁殖特性によって種子により、株や地下茎により、或いは枝片等により繁殖範囲を広げようとしている。種子により繁殖する植物ではそれぞれの植物の種子散布様式（風で運ばれる、自然落下する、動物に付着して運ばれる、動物の捕食に伴って運ばれる等）により繁殖範囲を広げようとしている。
【００１２】
建設工事等に伴って発生するのり面、裸地等の周辺に自生植物が繁殖する群落があれば、風により、或いは落下による等して自生植物の種子が該のり面、裸地等へも散布される。また、河川、水路などの護岸施設へ水流に運ばれて種子、地下茎、株、枝片等が到来してくることもある。
【００１３】
ところが、裸地や、傾斜面であるのり面等は、自生植物に覆われた地域に比べると、風に運ばれる、落下する等して散布されてくる種子を捕捉する能力が著しく乏しく、散布されてきても、雨水等により流出したり、斜面で転落したり、風に飛ばされたりして該種子の定着は困難である。また、浸食抑制のために石、コンクリート等で護岸工が施されている護岸施設面への種子、地下茎、株、枝片等の定着も困難である。
【００１４】
しかし、のり面、裸地等へ風、落下等により自然に散布されてくる種子をそこに捕捉、定着させることができれば、該のり面、裸地等にその地域の多様な自生植物が繁殖する植物群落を形成させることができる。また、護岸施設へ水流等により運ばれてくる種子、地下茎、株、枝片等をそこに捕捉、定着させることができれば、護岸施設に多様な植物が繁殖する植物群落を形成させることができる。
【００１５】
かかる捕捉、定着を可能にする道具があれば、それをのり面、裸地、護岸施設面等へ設置しておくだけで、あとは自然に任せて植物群落を該のり面、裸地、護岸施設面等に繁殖させることができる。その場合、該道具として、散布されてくる種子等の植物繁殖源をできるだけ確実に捕捉でき、発芽、成育等に至る期間内に流水、風等から植物繁殖源やそれから発芽したもの等の移動を抑制でき、護岸施設に設置するような場合には、植物成育基盤となる泥や土砂の堆積も期待でき、しかも、構造簡単で安価に製作でき、のり面等への設置も容易なものを採用すればよい。
そうすれば、のり面、裸地、護岸施設等に手間少なく安価にその地域に自生する多様な植物を繁殖させて該のり面、裸地等を自然状態へ復元することができ、ひいてはのり面等の浸食を抑制することができる。
【００１６】
本発明はかかる知見、着想に基づき次の植物繁殖源捕捉植生具及び植生工法を提供する。
（１）植物繁殖源捕捉植生具
長尺軸材と、該軸材に沿って配列されるとともに該軸材に保持された植物繁殖源捕捉用の繊維群とを含み、該繊維群は該繊維群を構成する繊維が該軸材周囲へ放射状に突出するように該軸材に保持されている植物繁殖源捕捉植生具。
【００１７】
ここで、「植物繁殖源」とは植物繁殖の源となる植物の種子、植物の根、植物の地下茎、株、枝片等である。
本発明に係る植物繁殖源捕捉植生具は、その植物繁殖源捕捉用の繊維群を構成する繊維が軸材の周囲へ放射状に突出しているものであり、軸材に近い中心部ほど該繊維群を構成している繊維相互の間隔は狭く、繊維密度は大きく、軸材から遠ざかるほど該繊維群を構成している繊維相互の間隔は広く、繊維密度は小さくなっている。
【００１８】
従って、本発明に係る植物繁殖源捕捉植生具を建設工事等に伴って発生するのり面や裸地等に設置すると、風に運ばれて自然に飛来したり、自然に落下してくる等して散布されてくるその地域の自生植物の種子は、該繊維群の広い繊維間隙間から中へ入り込みやすく、さらに繊維群の内奥部まで進入して通り抜けていくことができる風や、種子の自重により繊維群のより奥まった狭い部分まで入り混みやすく、それだけ確実に捕捉される。微細で翼を持ち、風で浮遊し易い種子でも捕捉可能である。
【００１９】
また、本発明に係る植物繁殖源捕捉植生具を河川、水路（例えば排水路）の護岸施設面に設置すると、水辺で浮遊したり、流水に落下して上流から流れてくる自生植物の種子や、水辺で浮遊したり、流水でちぎられる等して上流から流れてくる自生植物の根、地下茎、株、枝片等が該繊維群の中へ入り込みやすく、さらに繊維群の内奥部まで進入して通り抜けていくことができる流水により繊維群のより奥まった狭い部分まで入り混みやすく、それだけ確実に捕捉される。
【００２０】
また、植物繁殖源捕捉用の繊維群は軸材に近い中心部ほど該繊維群を構成している繊維相互の間隔は狭く、繊維密度は大きく、軸材から遠ざかるほど該繊維群を構成している繊維相互の間隔は広く、繊維密度は小さくなっているので、本発明に係る植物繁殖源捕捉植生具を建設工事等に伴って発生するのり面や裸地等に設置すると、各種サイズの種子を受け入れ、捕捉することができ、さらに、植物繁殖源捕捉用の繊維群は軸材の周囲へ放射状に突出しているから、様々の方向から飛来してきたり、落下してくる種子を捕捉できる。また、本発明に係る植物繁殖源捕捉植生具を河川、水路（例えば排水路）の護岸施設面に設置した場合にも、河川や水路における各種サイズの種子、植物根、地下茎、株、枝片等を受け入れ、捕捉することができ、様々の方向から流れてくる種子、根、地下茎、株、枝片等を捕捉できる。
【００２１】
そして、のり面や裸地等に設置される植物繁殖源捕捉植生具では、より軸材に近く、より繊維密度が大きい部分で繊維間の隙間に捕捉された種子は、再び風によって飛散したり、のり面等を流れる流水により流出することが抑制され、自重により落下してきた種子についても運動が停止し、再び転がり落ちることが抑制され、かくして捕捉された種子は植生具に定着しやすく、これらによりのり面、裸地等にその地域に自生する多様な植物の群落を形成させることができる。ひいては、のり面、裸地等の浸食を抑制することができる。
【００２２】
また、護岸施設面に設置される植物繁殖源捕捉植生具では、より軸材に近く、より繊維密度が大きい部分で繊維間の隙間に捕捉された種子、植物根、地下茎、株、枝片等は、再び流水によって流出することが抑制され、かくして捕捉された種子、地下茎等は植生具に定着しやすく、これらにより護岸施設面にその地域に自生する多様な植物の群落を形成させることができる。また、泥や土砂等の植物の成育基盤の堆積も期待できる。
【００２３】
さらに本発明に係る植物繁殖源捕捉植生具は、長尺軸材に植物繁殖源捕捉用繊維群を配列保持させただけのものであるから構造が簡単であり、安価に製作でき、また、のり面、裸地、護岸施設（例えば布団籠）面への設置は例えば軸材をアンカーピン等の固定具で固定することで簡単、安価に設置することができる。
かくして、本発明に係る植物繁殖源捕捉植生具によると、地域に自生する植物の繁殖能力を活用して、のり面、裸地、護岸施設面等に手間少なく、安価に、地域自生植物の群落を形成させることができる。
【００２４】
前記植物繁殖源捕捉用の繊維群を保持する軸材は、金属、合成樹脂、金属以外の例えば植物性天然材料（例えば木）等のいずれで形成されていてもよく、また、これらのうち２以上を組み合わせて形成されていてもよい。本発明に係る植物繁殖源捕捉植生具を設置するのり面等に凹凸がある場合、植生具を該凹凸にできるだけ沿うように設置できる材質（例えば鉄線等の金属線を撚ってなる屈曲可能の軸材）で形成してもよい。
【００２５】
前記植物繁殖源捕捉用の繊維群の繊維は、剛性に富むものでもよいが、種子、地下茎等の植物繁殖源をより確実に繊維間に挟んで捕捉できるように、また、各種サイズの種子、地下茎等の植物繁殖源の捕捉をより行い易くするために、また、様々の方向から到来する種子、地下茎等の植物繁殖源の捕捉を行い易くするために、前記軸材周囲へ放射状に突出する剛性を有しつつ可撓性も有する繊維であることが好ましい。
【００２６】
前記植物繁殖源捕捉用の繊維群は、保水性を有する繊維、自然に分解し易い繊維、植物繁殖源を捕捉し易い粘性を有する繊維、植物繁殖源に絡みやすい或いは植物繁殖源が絡みやすい繊維というように、材質の異なる２種以上の繊維を含んでいてもよい。また、軸材からの突出長さが異なる２種以上の繊維を含んでいてもよい。
【００２７】
前記植物繁殖源捕捉用の繊維群は有機質及び（又は）無機質等の土壌改良材、肥料等からなる１又は２以上の植物生育材を保持していてもよい。かかる植物成育材は繊維が保持（例えば接着により保持）していてもよいし、繊維の間に挟着保持していてもよいし、これらの組み合わせにより保持していてもよい。
【００２８】
また、本発明に係る植生具は、植物繁殖源の捕捉のために空気や水の流れをコントロールしたり、設置対象面への定着を図る等のために、捕捉定着させようとする植物繁殖源の種類、設置場所等に応じて、断面形状及び（又は）断面積において異なる少なくとも２種類の部分を含んでいてもよい。かかる断面形状及び（又は）断面積の相違は例えば軸材からの繊維の突出長さの相違により得たものでもよい。
【００２９】
（２）植生工法
本発明に係る植生工法は、以上説明した植物繁殖源捕捉植生具を植生工実施対象面に設置する工法である。
かかる植生工実施対象面としては、建設工事等により発生するのり面、裸地や、護岸施設面、例えば、石、コンクリート等で護岸工を施して得られた護岸施設面（例えば布団籠面）を挙げることができる。
【００３０】
のり面への植物繁殖源捕捉植生具の設置状態の代表例として、飛来してくる種子、落下してくる種子を捕捉し易いように、植物繁殖源捕捉植生具をその長尺軸材が水平状に延在するように該のり面に設置する場合を挙げることができる。
【００３１】
また、護岸施設面への植物繁殖源捕捉植生具の設置状態の代表例として、水辺に浮遊したり、上流から流されてくる種子、地下茎、株、枝片等を捕捉し易いように、植物繁殖源捕捉植生具をその長尺軸材が水流方向を横切る方向に延在するように前記護岸施設面に設置する場合を挙げることができる。
【００３２】
いずれにしても、植物繁殖源捕捉植生具をのり面、裸地、護岸施設面等の植生工実施対象面に設置することで、その地域に自生する植物の繁殖能力を活用して、該植生工実施対象面に地域自生植物の群落を手間少なく、安価に形成させることができる。
【００３３】
なお、植生工実施対象面には植物繁殖源捕捉植生具の設置に加え、種子の吹き付け及び（又は）厚層基材吹付工を施してもよい。厚層基材吹付工は有機及び（又は）無機質系の植生基材にセメント、樹脂等の浸食抑制剤を混ぜた基材を厚く吹きつけて耐食性、保水性等を与える工法である。
【００３４】
また、植物繁殖源捕捉植生具の植生工実施対象面への設置は、該植生工実施対象面に植生シート、植生マット及び網のうち少なくとも一つを設置し、その上から植物繁殖源捕捉植生具を設置することで行ってもよい。
ここで植生シートとは、シートに種子、肥料等を保持させたシートであり、植生マットとは、種子、肥料、ピートモス等の保水材等からなるマットである。
【発明の効果】
【００３５】
以上説明したように本発明によると、のり面、裸地、護岸施設面等に手間少なく安価にその地域に自生する多様な植物を繁殖させて該のり面、裸地、護岸施設面等を自然状態へ復元することができ、ひいてはのり面等の浸食も抑制できる植生具を提供することができる。
【００３６】
また、本発明によると、のり面、裸地、護岸施設面等に手間少なく安価にその地域に自生する多様な植物を繁殖させて該のり面、裸地、護岸施設面等を自然状態へ復元することができる植生工法を提供することができる。
【発明を実施するための最良の形態】
【００３７】
以下本発明の実施の形態を図面を参照して説明する。
図１は本発明に係る植物繁殖源捕捉植生具の１例を示している。図１（Ａ）は該植生具の側面図であり、図１（Ｂ）は図１（Ａ）のＸ−Ｘ線断面図である。
【００３８】
図１に示す植生具Ａは、長尺の軸材１に沿って植物繁殖源捕捉用の繊維群２０を配列するとともに繊維群２０を軸材１に保持させ、その繊維２を軸材１の周囲に放射状に突出させたものである。軸材１は、ここでは２本の鉄線１１を撚ったものである。繊維群２０を構成する繊維２は該２本の鉄線１１の間に挿入され、且つ、該鉄線に沿って配列される状態で該２本の鉄線１１が撚られることで、軸材１に保持され、且つ、軸材１の周囲に放射状に突出している。なお、軸材１の材質や構造はこれに限定されるものではなく、合成樹脂、合成樹脂と金属との組み合わせ等からなっていてもよい。また軸材の繊維の保持態様も任意である。
【００３９】
繊維群２０を構成している各繊維２は、ここでは例えば棕櫚繊維等の天然植物繊維からなるいずれも同材質の繊維であり、軸材周囲へ放射状に突出する剛性を有しつつ可撓性も有する繊維である。
ここでの繊維群２０を構成している繊維２は図１（Ｂ）に示すように、軸材１からの突出量にバラツキがあるが、それでも差し支えなく、繊維群全体としては円柱形状を呈している。なお、繊維群の断面形状輪郭は円形に限定される必要はない。
【００４０】
かかる植生具Ａは構造簡単であり、安価に製作することができる。植生具Ａは例えば建設工事等に伴って発生するのり面、裸地や、護岸施設面などへ設置して該のり面等に、その地域に自生する植物の繁殖能力を利用して植物を繁殖させる植生工法に利用できる。
【００４１】
図２はかかる植生具Ａを用いてのり面１００に自生植物を繁殖させ、自生植物群落を形成させるための植生工法実施の様子を示している。図２（Ａ）はのり面１００を正面から見た図であり、図２（Ｂ）は図２（Ａ）のＹ−Ｙ線断面図である。
【００４２】
植生具Ａは、その軸材１が水平方向に延在するようにのり面１００に配置され、例えばアンカーピンＰによりその位置に留められて簡単、容易に設置される。
【００４３】
このように設置された植生具Ａの繊維群２０は、図１（Ｂ）に示すように、軸材１に近い中心部ほど繊維群２０を構成している繊維２相互の間隔は狭く、繊維密度は大きく、軸材１から遠ざかる周辺部ほど繊維２相互の間隔は広く、繊維密度は小さくなっている。さらに本例では、各繊維は可撓性も有しており、換言すれば弾性復元力も有しているから、繊維間に進入してくる物を繊維間に挟んで捕捉し易い。
【００４４】
従って、風に運ばれて自然に飛来したり、自然に落下してくる等して様々の方向から散布されてくる、その地域の自生植物の各種サイズの種子Ｓが、このように設置された植生具Ａの、全体として円柱状を呈している繊維群２０における繊維間隔が広い繊維群周縁部から繊維群２０の中へ容易に入り込み、さらに、繊維群の内奥部まで進入して通り抜けていくことができる風や、種子の自重により繊維群２０のより奥まった狭い部分まで入り込む。また、その入り込みの程度に応じて、可撓性を有する繊維２の弾性復元力による繊維間での種子挟着力も働く。かくして、散布されてきた種子Ｓが捕捉される。微細で翼を持ち、風で浮遊し易い種子も捕捉可能である。図３は種子Ｓの捕捉の様子を示している。
【００４５】
そして、軸材１に近く、より繊維密度が大きい部分で繊維２間の隙間に捕捉された種子Ｓは、再び風によって飛散したり、のり面等を流れる流水により流出することが抑制され、自重により落下してきた種子についても運動が停止し、再び転がり落ちることが抑制され、かくして捕捉された種子は植生具Ａに定着しやすく、かくしてのり面１００に、その地域に自生する多様な植物の群落を形成させることができる。植生具Ａを裸地に設置しても、同様に該裸地に多様な自生植物を繁殖させることができる。
【００４６】
図４はかかる植生具Ａを用いて護岸施設面２００’（本例では河川の護岸のための、石を詰めた布団籠２００の上面）に自生植物を繁殖させ、自生植物群落を形成させるための植生工法実施の様子を示している。図４（Ａ）は河川Ｒ及び護岸布団籠２００を上方から見た図であり、図４（Ｂ）は図４（Ａ）のＺ−Ｚ線断面図である。
【００４７】
植生具Ａは、その軸材１が河川Ｒの水流方向αを直角に又は斜めに横切る方向に延在するように布団籠面２００’に配置され、例えばアンカーピンＰによりその位置に留められて簡単、容易に設置される。なお、植生具Ａを河川や水路（例えば排水路）の護岸施設面に設置するときは、季節的な水流量や流速の変化、降水や融雪による短期的な流量や流速の変化等を考慮して、河川や水路の水量等の特徴に合わせ植生具Ａを水流を直角に又は斜めに横切る方向に延在するように設置すればよい。
【００４８】
このように設置された植生具Ａにおいても、水辺で浮遊したり、流水に落下して上流から流れてくる各種サイズの自生植物の種子や、水辺で浮遊したり、流水でちぎられる等して上流から流れてくる各種サイズの自生植物の根、地下茎、株、枝片等が、植生具Ａの繊維群２０の中へ入り込み、或いはさらに、繊維群２０の内奥部まで進入して通り抜けていくことができる流水により繊維群２０のより奥まった狭い部分まで入り混む等して捕捉される。
【００４９】
このように捕捉された種子、根、地下茎等の植物繁殖源は、再び流水によって流出することが抑制され、かくして捕捉された植物繁殖源は植生具Ａに定着し、護岸施設面２００’にその地域に自生する多様な植物の群落を形成する。また、泥や土砂等の植物の成育基盤の堆積も期待できる。
【００５０】
植物繁殖を促すために、のり面１００への植生具Ａの設置に加え、さらに例えば種子の吹き付け及び（又は）厚層基材吹付工をのり面１００に施こしてもよい。種子吹き付けは植生具Ａの設置面以外の面に行ってもよく、植生具Ａに対して行ってもよく、双方に対して行ってもよい。厚層基材吹付工は、例えば植生具Ａの設置面以外の面に行えばよい。
また、図示を省略しているが、のり面に植生シート、植生マット及び網のうち少なくとも一つを設置し、その上から植物繁殖源捕捉植生具Ａを設置してもよい。
【００５１】
図１に示す植生具Ａでは、繊維群２０は同材質の植物繊維から構成されているが、既に触れたように、植物繁殖源捕捉植生具の繊維は金属繊維、合成樹脂の繊維など、植生具の設置環境や求められる耐久期間等によって任意に組み合わすことが可能である。
種子の発芽を促進するため保水性や吸水膨潤性のある繊維や、種子等を強固に保持するため粘性を有していたり、絡む性質の繊維や、また、早期に分解して植物の被覆や生育基盤の改良効果を持つ分解の早い性質の繊維など異なる複数の材質の繊維を採用することも可能である。
【００５２】
さらに、植物の保護育成のため有機質、無機層などの土壌改良材や肥料を繊維の間に挟んだり、繊維に接着等により保持させることも可能である。
空気や水の流れをコントロールしたり、植生具設置面への定着を図るため植生具の繊維長さを調製する等して植生具外形に凹凸をつけたり、様々な断面形状に形成することも可能である。
【００５３】
図５は植物繁殖源捕捉植生具の他の例Ｂの断面図である。この植生具Ｂは長尺の軸材１ｂに沿って植物繁殖源捕捉用の繊維群２０ｂを配列するとともに繊維群２０ｂを軸材１ｂに保持させ、繊維群を構成する繊維２ｂ、２ｂ’を軸材１ｂの周囲に放射状に突出させたものである。繊維群２０ｂは保水性等の性質が異なる２種類の繊維２ｂ、２ｂ’を組み合わせて構成されている。
【００５４】
図６は植物繁殖源捕捉植生具のさらに他の例Ｃの断面図である。この植生具Ｃは長尺の軸材１ｃに沿って植物繁殖源捕捉用の繊維群２０ｃを配列するとともに繊維群２０ｃを軸材１ｃに保持させ、繊維群を構成する繊維２ｃを軸材１ｃの周囲に放射状に突出させたものである。繊維群２０ｃは土壌改良材及び（又は）肥料Ｍを繊維２ｃや繊維２ｃ間に保持している。
【００５５】
図７は植物繁殖源捕捉植生具のさらに他の例Ｄの断面図である。この植生具Ｄは長尺の軸材１ｄに沿って植物繁殖源捕捉用の繊維群２０ｄを配列するとともに繊維群２０ｄを軸材１ｄに保持させ、繊維群を構成する繊維２ｄを軸材１ｄの周囲に放射状に突出させたものである。繊維群２０ｄを構成している繊維２ｄは軸材１ｄから、下方へは短く、左右及び上方へは長く突出しており、植生具設置面への座りのよい形態をとっている。
【００５６】
図８は植物繁殖源捕捉植生具のさらに他の例Ｅの側面図である。この植生具Ｅは繊維群が図１（Ａ）に示す断面形状を呈する部分ｅ１と図７に示す断面形状を呈する（但し図７の状態から上下逆にした）部分ｅ２とを軸材１ｅに沿って交互に配列した形態のものである。
【産業上の利用可能性】
【００５７】
本発明は、建設工事等により発生するのり面、裸地、護岸施設面等に、その地域に自生する植物を、該植物の自然繁殖能力を利用して繁殖させ、該のり面、裸地、護岸施設面等を自然状態へ復元させ、また、それによりのり面、裸地等の浸食を抑制することに利用できる。
【図面の簡単な説明】
【００５８】
【図１】本発明に係る植物繁殖源捕捉植生具の１例を示すもので、図１（Ａ）はその側面図、図１（Ｂ）は図１（Ａ）のＸ−Ｘ線断面図である。
【図２】図１に示す植生具によるのり面の植生工法を示す図であり、図２（Ａ）はのり面を正面から見て示す図、図２（Ｂ）は図２（Ａ）のＹ−Ｙ線断面図である。
【図３】植生具Ａに種子が捕捉される様子を示す図である。
【図４】図１に示す植生具による護岸施設面の植生工法を示す図であり、図４（Ａ）は河川等を上方から見て示す図であり、図４（Ｂ）は図４（Ａ）のＺ−Ｚ線断面図である。
【図５】本発明に係る植物繁殖源捕捉植生具の他の例の断面図である。
【図６】本発明に係る植物繁殖源捕捉植生具のさらに他の例の断面図である。
【図７】本発明に係る植物繁殖源捕捉植生具のさらに他の例の断面図である。
【図８】本発明に係る植物繁殖源捕捉植生具のさらに他の例の側面図である。
【符号の説明】
【００５９】
Ａ、Ｂ、Ｃ、Ｄ、Ｅ  植物繁殖源捕捉植生具
１、１ｂ、１ｃ、１ｄ、１ｅ  軸材
１１  鉄線
２０、２０ａ、２０ｂ、２０ｄ、（ｅ１、ｅ２）  繊維群
２、２ｂ、２ｂ’、２ｃ、２ｄ  繊維
１００  のり面
Ｐ  アンカーピン
Ｓ  種子
２００  布団籠（護岸施設の１例）
２００  布団籠面（護岸施設面の１例）
Ｒ  河川
【図１】
2006000083.tif 000003
【図２】
2006000083.tif 000004
【図３】
2006000083.tif 000005
【図４】
2006000083.tif 000006
【図５】
2006000083.tif 000007
【図６】
2006000083.tif 000008
【図７】
2006000083.tif 000009
【図８】
2006000083.tif 000010